(57)【要約】【課題】無線制御装置と複数の無線装置とを含む通信システムにおいて、無線装置のクロックに不具合がある場合にリセットからの復旧を容易に行なうこと。【解決手段】  直列に接続された無線制御装置及び第１、第２無線装置を備えた無線システムにおいて、無線制御装置及び第１無線装置は、クロック生成部を備える。第１無線装置が備えるクロック生成部に異常が発生し、第１無線装置と第２無線装置との間の通信が、無線制御装置で生成されたクロックで動作する状態において、無線制御装置がリセットされた場合には、第１、第２無線装置間での通信が安定状態になるまで、第１、第２無線装置間で、リセット信号及びメッセージの少なくとも一方の送受信を行なわないように制御する。【選択図】  図５
2011119835.tif 000002
【特許請求の範囲】
【請求項１】
直列に接続された無線制御装置及び第１、第２無線装置を備えた無線システムの制御方法であって、
前記無線制御装置及び前記第１無線装置は、クロック生成部を備え、
前記第１無線装置が備えるクロック生成部に異常が発生し、前記第１無線装置と第２無線装置との間の通信が、前記無線制御装置で生成されたクロックで動作する状態において、
前記無線制御装置がリセットされた場合には、前記第１、第２無線装置間での通信が安定状態になるまで、前記第１、第２無線装置間で、リセット信号及びメッセージの少なくとも一方の送受信を行なわないように制御することを特徴とする無線システムの制御方法。
【請求項２】
前記無線制御装置がリセットされた場合には、前記無線制御装置は、前記第１、第２無線装置間での通信が安定状態になったタイミングで、前記第１無線装置に対して、リセット信号を送信することを特徴とする請求項１に記載の無線システムの制御方法。
【請求項３】
前記無線制御装置は、リセットされた後、前記第１、第２無線装置間での通信が安定状態になったと判断できる時間だけ待機し、その後、リセット信号を前記第１無線装置に対して送信することを特徴とする請求項２に記載の無線システムの制御方法。
【請求項４】
前記無線制御装置は、前記第１、第２無線装置間での通信が安定状態になったことを示す通知を入力した後、リセット信号を前記第１無線装置に対して送信することを特徴とする請求項１、２又は３に記載の無線システムの制御方法。
【請求項５】
前記無線制御装置がリセットされた場合には、前記第１、第２無線装置間での通信が安定状態になるまで、前記第１無線装置は、前記第２無線装置との間で、メッセージの送受信を行なわないことを特徴とする請求項１、２、３又は４に記載の無線システムの制御方法。
【請求項６】
前記無線システムは、コモン・パブリック・ラジオ・インタフェース（ＣＰＲＩ）を利用して、無線制御装置と第１無線装置との間、及び第１無線装置と第２無線装置との間で独立に通信を行なうことを特徴とする請求項１乃至５の何れか１項に記載の無線システムの制御方法。
【請求項７】
前記第１無線装置は、前記第１、第２無線装置間での通信が安定状態になるまで、前記第１、第２無線装置間で、前記ＣＰＲＩのステートＥからステートＦに遷移しないように制御することを特徴とする請求項６に記載の無線システムの制御方法。
【請求項８】
直列に接続された無線制御装置及び第１、第２無線装置を備えた無線システムであって、
前記無線制御装置及び前記第１無線装置は、クロック生成部を備え、
前記第１無線装置が備えるクロック生成部に異常が発生し、前記第１無線装置と第２無線装置との間の通信が、前記無線制御装置で生成されたクロックで動作する状態において、
前記無線制御装置がリセットされた場合には、
前記無線制御装置は、前記第１、第２無線装置間での通信が安定状態になった後に、リセット信号を送信することを特徴とする無線システム。
【請求項９】
直列に接続された無線制御装置及び第１、第２無線装置を備えた無線システムであって、
前記無線制御装置及び前記第１無線装置は、クロック生成部を備え、
前記第１無線装置が備えるクロック生成部に異常が発生し、前記第１無線装置と第２無線装置との間の通信が、前記無線制御装置で生成されたクロックで動作する状態において、
前記無線制御装置がリセットされた場合には、
前記第１無線装置は、前記第１、第２無線装置間での通信が安定状態になるまで、前記第１、第２無線装置間でメッセージを送受信しないことを特徴とする無線システム。
【請求項１０】
第１無線装置及び第２無線装置に対し直列に接続可能な無線制御装置であって、
前記無線制御装置及び前記第１無線装置は、クロック生成部を備え、
前記第１無線装置が備えるクロック生成部に異常が発生し、前記第１無線装置と第２無線装置との間の通信が、前記無線制御装置で生成されたクロックで動作する状態において、
前記無線制御装置がリセットされた場合には、
前記無線制御装置は、前記第１、第２無線装置間での通信が安定状態になった後に、リセット信号を送信することを特徴とする無線制御装置。
【請求項１１】
無線制御装置と他の無線装置との間に接続可能な無線装置であって、
クロックを生成するクロック生成部を備え、
前記クロック生成部に異常が発生し、前記無線装置と前記他の無線装置との間の通信が、前記無線制御装置で生成されたクロックで動作する状態において、
前記無線制御装置がリセットされた場合には、
前記無線装置は、前記他の無線装置との間での通信が安定状態になるまで、前記他の無線装置との間でメッセージを送受信しないことを特徴とする無線装置。
【請求項１２】
直列に接続された無線制御装置及び第１、第２無線装置を備えた無線システムの制御プログラムであって、
前記無線制御装置及び前記第１無線装置は、クロック生成部を備え、
前記無線システムに含まれるプロセッサが前記制御プログラムを実行することにより、
前記第１無線装置が備えるクロック生成部に異常が発生し、前記第１無線装置と第２無線装置との間の通信が、前記無線制御装置で生成されたクロックで動作する状態において、
前記無線制御装置がリセットされた場合には、前記第１、第２無線装置間での通信が安定状態になるまで、前記第１、第２無線装置間で、リセット信号及びメッセージの少なくとも一方の送受信を行なわないよう待機する待機処理を前記プロセッサに実行させることを特徴とする無線システムの制御プログラム。
【発明の詳細な説明】
【技術分野】
【０００１】
本発明は、複数の通信装置間で行なわれる通信制御技術に関する。
【背景技術】
【０００２】
複数の通信装置を含む通信システムについて、特許文献１及び２に開示がある。特に特許文献１の段落００１６、００３３、図５及び６には、無線制御部（Radio Equipment Control）と無線部(Radio Equipment)との間でデータ交換を行なうことが記載されている。
【０００３】
一方、特許文献２の段落００１４及び図３には、複数のノードを備えたマルチホップ無線ネットワークについて開示がある。ここで、ネットワークに含まれる各チャネル装置（子機）のクロックは、１つのチャネル装置（親機）のクロックに同期している。
【先行技術文献】
【特許文献】
【０００４】
【特許文献１】特表2008-516503号公報
【特許文献２】特開2003-273849号公報
【発明の概要】
【発明が解決しようとする課題】
【０００５】
しかし、無線制御装置と第１、第２無線装置とが直列接続された通信システムにおいて、第１無線装置のクロックが不調の間に、無線制御装置をリセットすると、無線装置間の通信がうまくいかず、結局無線装置のリセットが必要になってしまっていた。
【０００６】
本発明の目的は、上述の課題を解決する通信技術を提供することにある。
【課題を解決するための手段】
【０００７】
上記目的を達成するため、本発明に係る方法は、直列に接続された無線制御装置及び第１、第２無線装置を備えた無線システムの制御方法であって、
無線制御装置及び第１無線装置は、クロック生成部を備え、
第１無線装置が備えるクロック生成部に異常が発生し、第１無線装置と第２無線装置との間の通信が、無線制御装置で生成されたクロックで動作する状態において、
無線制御装置がリセットされた場合には、第１、第２無線装置間での通信が安定状態になるまで、第１、第２無線装置間で、リセット信号及びメッセージの少なくとも一方の送受信を行なわないように制御することを特徴とする。
【０００８】
上記目的を達成するため、本発明に係るシステムは、直列に接続された無線制御装置及び第１、第２無線装置を備えた無線システムであって、
無線制御装置及び第１無線装置は、クロック生成部を備え、
第１無線装置が備えるクロック生成部に異常が発生し、第１無線装置と第２無線装置との間の通信が、無線制御装置で生成されたクロックで動作する状態において、
無線制御装置がリセットされた場合には、無線制御装置は、第１、第２無線装置間での通信が安定状態になった後に、リセット信号を送信することを特徴とする。
【０００９】
上記目的を達成するため、本発明に係る他のシステムは、直列に接続された無線制御装置及び第１、第２無線装置を備えた無線システムであって、
無線制御装置及び第１無線装置は、クロック生成部を備え、
第１無線装置が備えるクロック生成部に異常が発生し、第１無線装置と第２無線装置との間の通信が、無線制御装置で生成されたクロックで動作する状態において、
無線制御装置がリセットされた場合には、第１無線装置は、第１、第２無線装置間での通信が安定状態になるまで、第１、第２無線装置間でメッセージを送受信しないことを特徴とする。
【００１０】
上記目的を達成するため、本発明に係る装置は、第１無線装置及び第２無線装置を直列に接続可能な無線制御装置であって、
無線制御装置及び第１無線装置は、クロック生成部を備え、第１無線装置が備えるクロック生成部に異常が発生し、第１無線装置と第２無線装置との間の通信が、無線制御装置で生成されたクロックで動作する状態において、無線制御装置がリセットされた場合には、無線制御装置は、第１、第２無線装置間での通信が安定状態になった後に、リセット信号を送信することを特徴とする。
【００１１】
上記目的を達成するため、本発明に係る他の装置は、無線制御装置と他の無線装置との間に接続可能な無線装置であって、
クロックを生成するクロック生成部と、クロック生成部に異常が発生し、無線装置と他の無線装置との間の通信が、無線制御装置で生成されたクロックで動作する状態において、
無線制御装置がリセットされた場合には、無線装置は、他の無線装置との間での通信が安定状態になるまで、他の無線装置との間でメッセージを送受信しないことを特徴とする。
【００１２】
上記目的を達成するため、本発明に係るプログラムは、直列に接続された無線制御装置及び第１、第２無線装置を備えた無線システムの制御プログラムであって、
無線制御装置及び第１無線装置は、クロック生成部を備え、無線システムに含まれるプロセッサが制御プログラムを実行することにより、
第１無線装置が備えるクロック生成部に異常が発生し、第１無線装置と第２無線装置との間の通信が、無線制御装置で生成されたクロックで動作する状態において、無線制御装置がリセットされた場合には、第１、第２無線装置間での通信が安定状態になるまで、第１、第２無線装置間で、リセット信号及びメッセージの少なくとも一方の送受信を行なわないよう待機する待機処理をプロセッサに実行させることを特徴とする。
【発明の効果】
【００１３】
本発明によれば、無線制御装置と複数の無線装置とを含む通信システムにおいて、無線装置のクロックに不具合がある場合にでも無線制御装置のリセットの効果が確実に無線装置に及び、リセットからの復旧を容易に行なうことができる。
【図面の簡単な説明】
【００１４】
【図１】本発明の第１実施形態としての通信システムの構成図である。
【図２】本発明の第１実施形態としての通信システムにおいて、子機のクロック生成部に異常が生じた場合を示す図である。
【図３】本発明の第１実施形態としての通信システムにおいて、子機のクロック生成部に異常が生じた後に親機をリセットした場合を示す図である。
【図４】本発明の第１実施形態としての通信システムにおいて、子機のクロック生成部に異常が生じた後に親機のリセットを解除した場合を示す図である。
【図５】本発明の第１実施形態としての通信システムにおいて、子機のクロック生成部に異常が生じた場合の親機のリセット解除後のリセット信号送信を示す図である。
【図６】本発明の第２実施形態としての通信システムにおいて、Ｌ３メッセージを送受信する様子を示す図である。
【図７】本発明の第２実施形態としての通信システムにおいて、子機のクロック生成部に異常が生じた場合を示す図である。
【図８】本発明の第２実施形態としての通信システムにおいて、子機のクロック生成部に異常が生じた後に親機をリセットした場合を示す図である。
【図９】本発明の第２実施形態としての通信システムにおいて、子機のクロック生成部に異常が生じた場合の親機のリセット解除後のＬ３メッセージの送受信を示す図である。
【発明を実施するための形態】
【００１５】
以下に、図面を参照して、本発明の実施の形態について例示的に詳しく説明する。ただし、以下の実施の形態に記載されている構成要素はあくまで例示であり、本発明の技術範囲をそれらのみに限定する趣旨のものではない。
【００１６】
（第１実施形態）
図１を参照して本発明の第１実施形態としての通信システムについて説明する。図１は、本実施形態に係る通信システムの概略構成図である。図１に示す通信システム１００は、無線基地局内部のオープンインタフェースである、コモン・パブリック・ラジオ・インタフェース、すなわちＣＰＲＩを採用している。ＣＰＲＩは、無線基地局の無線制御装置（Radio Equipment Control、以下親機）と無線装置（Radio Equipment、以下子機）との間の標準プロトコルインタフェースである。この標準プロトコルインタフェースにより、異なるベンダーが提供する装置間の相互接続性を担保している。
【００１７】
ＣＰＲＩを利用したマルチホップ構成を採用することにより、たとえば親機を搭載した基地局を、設置が比較的容易な場所に配置し、環境的に基地局の設置が困難な場所に、子機のみを配置するという構成を選択することができる。したがって、従来よりも柔軟に無線ネットワークの敷設を実現可能となり、かつ基地局のメンテナンスが容易になる。一方で、子機としての無線装置を操作する機会をでき限り減らしたいという要求が生じている。
【００１８】
親機と子機との接続は、リング接続やツリー接続など、非常に様々な形態を取りうるが、本実施形態では、図１に示すようなチェーン接続について説明する。図１に示す無線制御装置（親機）１０１、第１無線装置（子機Ａ）１０２、第２無線装置（子機Ｂ）１０３は、それぞれＣＰＲＩインタフェースを備えている。そして、親機１０１と子機Ａ１０２の間、及び子機Ａ１０２と子機Ｂ１０３との間は、光ケーブルを用いたＣＰＲＩリンクによって接続されている。それらはそれぞれ独立したＣＰＲＩリンクであり、ＣＰＲＩのステート管理も別々に実施される。このような通信システム１００においては、親機１０１は子機Ａ１０２を経由して子機Ｂ１０３との通信を行う。
【００１９】
正常時には、図１に示すように、親機１０１と子機Ａ１０２との間の通信は、親機１０１のクロック生成部１１１で生成されたクロック（ＣＬＫ）で動作する。一方、子機Ａ１０２と子機Ｂ１０３との間の通信は、子機Ａ１０２のクロック生成部１１２で生成されたクロックで動作する。
【００２０】
しかし、図２に示すように、子機Ａ１０２のクロック生成部１１２に異常が発生した場合、子機Ａ１０２のマスタポートと子機Ｂ１０３のスレイブポートとの間の通信は、親機１０１のクロック生成部１１１で生成されたクロックに同期して行なわれる。
【００２１】
このとき、図３に示すように、さらに親機１０１に対してリセットが指示された場合、親機１０１のリセット中は子機Ａ１０２にて親機からのクロックが抽出できないため、子機Ａ１０２と子機Ｂ１０３との間の通信も引きずられて不安定になる。これはスレーブ側にあたる子機Ｂ１０３が子機Ａ１０２のクロックに追従するためであり、親機１０１のクロックがない間は子機Ａ１０２のクロックも不安定となり、子機Ｂ１０３のＰＬＬ（phase-locked loop）のロックが外れるためである。
【００２２】
図４に示すように子機Ａ１０２のクロック生成部１１２に異常が発生している間に親機１０１がリセットされて子機Ｂ１０３へリセット信号４０６を送出すると、子機Ａ１０２と子機Ｂ１０３との間のＣＰＲＩが不安定な状態から回復せず、リセット信号が届かないため、子機Ｂを初期化できない問題が生じる。これは親機１０１と子機Ａ１０２との間の通信が復旧するタイミングよりも、親機１０１のクロックを抽出して子機Ａ１０２と子機Ｂ１０３との間のＣＰＲＩが同期されるタイミングのほうが遅いためである（子機Ｂ１０３のＰＬＬロック時間による）。
【００２３】
そこで、本実施形態では、図５に示すように親機１０１からのリセット信号４０６を確実に子機Ｂ１０３へ到達させるために、親機は、子機Ａ１０２と子機Ｂ１０３との間のＣＰＲＩの同期が確立してからリセット信号４０６を送出する。つまり、まず、子機Ａ１０２のクロック生成部１１２に異常が発生している間（Ｓ１０１）に、親機１０１がリセットされると（Ｓ１０２）、親機１０１は、リセット解除されてから（Ｓ１０３）、すぐにはリセット信号を送信しない。そして、子機Ｂ１０３でＰＬＬのロックが行なわれ、安定状態に遷移した（Ｓ１０４）と判断できる所定時間が経過するまで待機し、所定時間経過後、親機１０１は、リセット信号を、子機Ａ１０２に送信する（Ｓ１０５）。これにより、リセット信号は確実に子機Ｂ１０３に届けられる（Ｓ１０６）。
【００２４】
なお、本実施形態では、子機Ｂ１０３でＰＬＬのロックが行なわれ、安定状態に遷移したと判断できる時間、親機１０１がリセット信号の送信を遅らせているが、本発明はこれに限定されるものではない。例えば、何らかの方法で、子機Ｂ１０３でＰＬＬのロックが行なわれたことを示す通知を親機１０１が受けた場合には、その通知をトリガーにして、リセット信号を送信しても良い。
【００２５】
（第２実施形態）
次に、図６乃至図９を用いて、本発明の第２実施形態について説明する。本実施形態でも、通信システム２００の構成は、第１実施形態で説明した通信システム１００と同様である。つまり、無線制御装置（親機）２０１と第１無線装置（子機Ａ）２０２と第２無線装置（子機Ｂ）２０３とがＣＰＲＩを利用して直列に接続されている。第１実施形態でも説明したとおり、親機２０１と子機Ａ２０２と子機Ｂ２０３の各物理レイヤであるレイヤ１同士は、ＣＰＲＩリンクで接続されている。レイヤ２は、データリンクレイヤであり、データパッケージやエラー訂正やメッセージ転送を扱う。レイヤ３は、メッセージレイヤであり、エアインタフェースを介して送受信するメッセージを親機・子機間及び子機同士の間で扱うためのレイヤである。本実施形態では、第１実施形態と同様のエラー＋リセット状況下において、子機Ａ２０２と子機Ｂ２０３のレイヤ３同士でやり取りされるＬ３メッセージに不具合が起きないように制御する方法について説明する。子機Ｂ２０３は、親機２０１がマスタのＬ３メッセージと子機Ａ２０２がマスタのＬ３メッセージとを扱うが、ここでは親機２０１からのＬ３メッセージについては考慮しない。
【００２６】
図７に示すように、子機Ａ２０２のクロック生成部２１２に異常が発生している間に親機２０１がリセットされると、親機２０１がリセット解除されてクロックを送信し始めるまで、子機Ａ２０２と子機Ｂ２０３との間のＣＰＲＩステートが不安定になる。具体的には、ステートがＢ＝＞Ｃ＝＞Ｄ＝＞Ｅ＝＞Ｆ＝＞Ｂ・・・のようにばたつくことがある。ここで、ステートＢは、レイヤ１の同期状態であり、ステートＣはプロトコルセットアップ状態である。また、ステートＤは、Ｃ＆Ｍ（Control & Management）プレーンのセットアップ状態であって、ステートＥは、インタフェース及びベンダー特有のネゴシエーション状態（Interface and vendor specific negotiation）である。さらに、ステートＦは、オペレーション状態（Operation）であり、ステートＦのオペレーション状態中に、子機Ａ２０２は子機Ｂ２０３とＬ３メッセージの送受信を行なう。
【００２７】
親機２０１のリセット中（親機２０１と子機Ａ２０２との間のＣＰＲＩが同期するまで）はＣＰＲＩの状態がばたつくため、Ｌ３メッセージの送受信中に、要求メッセージに対する応答メッセージが途切れたり、再送したりといった処理を繰り返す。そして、やがて再送しても応答が来ないという不正を検出し送信を停止してしまう。その場合、親機２０１と子機Ａ２０２との間のクロックが復旧して子機Ａ２０２と子機Ｂ２０３との間のステートがＦになっても、一度停止してしまったＬ３メッセージは子機Ａ２０２
のリセット無しでは復旧できない。
【００２８】
そこで本実施形態では、図８のように子機Ａ２０２のクロック生成部２１２に異常が発生し（Ｓ２０１）、親機２０１がリセットされると（Ｓ２０２）、子機Ａ２０２と子機Ｂ２０３との間のＣＰＲＩをステートＦに遷移させず、ステートＥで保持したまま待機する（Ｓ２０３）。これにより、親機２０１がリセットされて、子機Ａ２０２と子機Ｂ２０３との間で同期制御が行なわれない間は、Ｌ３メッセージのやり取りは行なわれないことになり、Ｌ３メッセージの不正による停止は起こらない。
【００２９】
一方、親機２０１がリセット解除されると、親機２０１と子機Ａ２０２との間はステートＦにやがて遷移する。その後、子機Ａ２０２のクロック生成部２１２が正常になるまで子機Ａ２０２と子機Ｂ２０３との間はステートＥで保持し、子機Ａ２０２のクロック生成部２１２が正常になった時点で子機Ａ２０２と子機Ｂ２０３との間の状態をステートＦに遷移させる。これにより、子機Ａのリセットを行なわなくても、親機２０１と子機Ｂ２０３との間でＬ３メッセージの送受信が可能となる。
【００３０】
つまり、子機Ａ２０２がクロック生成部２１２を監視し、その正常又は異常状態を管理する。異常時は子機Ａ２０２と子機Ｂ２０３との間をステートＥで保持し、意図的にＬ３メッセージ送受信を停止させる。クロック生成部２１２が正常に復帰したと判定したらステートＦまで遷移させ、再度Ｌ３メッセージの送受信を行なう。Ｌ３メッセージの不正により子機Ａ２０２が停止しているわけではないため、子機Ａ２０２のクロック生成部が正常に戻った際に、リセットをしなくても、Ｌ３メッセージの送受信を再開することが可能になる。
【００３１】
（他の実施形態）
以上、本発明の実施形態について詳述したが、それぞれの実施形態に含まれる別々の特徴を如何様に組み合わせたシステム又は装置も、本発明の範疇に含まれる。例えば、第１無線装置のクロック生成部に異常が発生し、無線制御装置がリセットされた場合、リセット信号の送信及び第２無線装置へのＬ３メッセージの送受信の両方が行なわれないよう制御しても良い。
【００３２】
また、上述の第１、第２実施形態では、無線システムの通信プロトコルとしてＣＰＲＩを例にとって説明したが、本発明はこれに限定されるものではなく、無線制御装置と第１、第２無線装置とが直列に接続された全ての無線システムに適用可能である。
【００３３】
さらに、本発明は、実施形態の機能を実現する無線システムの制御プログラムが、無線システム或いは無線装置などに直接或いは遠隔から供給され、無線システムに設けられたプロセッサによって実行される場合にも適用可能である。したがって、本発明の機能をコンピュータで実現するために、コンピュータにインストールされるプログラム、或いはそのプログラムを格納した媒体、そのプログラムをダウンロードさせるＷＷＷサーバも、本発明の範疇に含まれる。
【図１】
2011119835.tif 000003
【図２】
2011119835.tif 000004
【図３】
2011119835.tif 000005
【図４】
2011119835.tif 000006
【図５】
2011119835.tif 000007
【図６】
2011119835.tif 000008
【図７】
2011119835.tif 000009
【図８】
2011119835.tif 000010
【図９】
2011119835.tif 000011